(57)【要約】【課題】特定の電話機から発信した時、発信履歴が電話機に残さないように他電話機からの発信制御を行う電話機を提供する。【解決手段】  発着信通話機能と、他電話機へのコマンドデータ送信機能を持ち、特殊コマンドを入力することで、自端末からの発信を他端末へのコマンドデータとして送信を行うことができる携帯電話機から、発着信通話機能と、他電話機からのコマンドデータ受信機能を持ち、特殊コマンドを入力することで、他端末からの発信をコマンドデータとして受信を行うことができる単独電話機が、コマンドデータの受信を行うことで、携帯電話機の発信させたいダイヤルを単独電話経由で発信することができる。その際、発信履歴は携帯電話内の管理のため発信先である単独電話に残ることはない。これにより発信履歴を残さずに特定のダイヤル発信制御を行うことができる【選択図】    図１
2012114818.tif 000002
【特許請求の範囲】
【請求項１】
他端末から受信した発信制御に係る発信制御コマンドに応じて発信制御を実行する電話機であって、
回線への発信を制御する発信制御部と、発信制御に係る発信制御コマンドを生成する発信制御コマンド生成手段と、
他端末から発信制御コマンドを受信する発信制御コマンド受信手段と、
前記発信制御コマンド生成手段が生成した発信制御コマンドと他端末から受信した発信制御コマンドのいずれかを選択する発信制御コマンド選択手段と、を有し、
自端末に対して特定操作が為された場合に、前記発信制御コマンド選択手段は前記発信制御コマンド受信手段が他端末から受信した発信制御コマンドを選択し、
前記発信制御部は前記選択した発信制御コマンドにより回線への発信を制御することを特徴とする外部機器連動発信制御機能を有する電話機
【請求項２】
請求項１に記載の電話機へ発信制御に係る発信制御コマンドを送信する電話機であって、
回線への発信を制御する発信制御部と、発信制御に係る発信制御コマンドを生成する発信制御コマンド生成手段と、前記発信制御コマンド生成手段が生成した発信制御コマンドを前記自端末の発信制御部へ送出するか他端末へ送出するかを選択する送出先選択手段と、
前記発信制御コマンドを他端末へ送信する発信制御コマンド送信手段と、を有し、
自端末に対して特定操作が為された場合に、前記送出先選択手段は前記発信制御コマンド生成手段が生成した発信制御コマンドを他端末へ送出することを選択し、前記発信制御コマンド送信手段は前記発信制御コマンドを他端末へ送信することを特徴とする外部機器連動発信制御機能を有する電話機
【発明の詳細な説明】
【技術分野】
【０００１】
外部機器と連動して発信制御を行う電話機にかかり、特に外部機器から発信する場合に発信履歴を残さずに発信する技術に関する。
【背景技術】
【０００２】
従来、携帯電話機や家庭用固定電話機の電話帳に登録されたプライベートの連絡先を、会社の電話機から発信する場合、電話機内に発信履歴が残り、他人に悪用される可能性があった。
【０００３】
これを解決する技術として、特許文献１の技術がある。特許文献１には、予め主装置に接続する各内線電話機の電話帳または発着信履歴にパスワード機能を設け、当該パスワードを入力しなければ閲覧できない技術である。
【先行技術文献】
【特許文献】
【０００４】
【特許文献１】特開２００７−９７０９３号公報
【発明の概要】
【発明が解決しようとする課題】
【０００５】
しかしながら特許文献１の技術は、発着信履歴を表示しないだけであって、主装置には発着信履歴は残ってしまう。そのため、例えばパスワードが盗まれたり、主装置から直接発着信履歴の記憶部から呼出せば、容易に発着信履歴を閲覧されてしまうという問題があった。
【０００６】
本発明は上記課題を鑑みなされたものであって、本発明の目的は遠隔操作で発信履歴を残さずに発信制御する技術を提供することにある。
【課題を解決するための手段】
【０００７】
上記課題を解決するために第一の発明は、他端末から受信した発信制御に係る発信制御コマンドに応じて発信制御を実行する電話機であって、回線への発信を制御する発信制御部と、発信制御に係る発信制御コマンドを生成する発信制御コマンド生成手段と、他端末から発信制御コマンドを受信する発信制御コマンド受信手段と、他端末から受信された表示画面を表示部へ連動させる表示データ受信制御手段と、前記発信制御コマンド生成手段が生成した発信制御コマンドと他端末から受信した発信制御コマンドのいずれかを選択する発信制御コマンド選択手段と、を有し、自端末に対して特定操作が為された場合に、前記発信制御コマンド選択手段は前記発信制御コマンド受信手段が他端末から受信した発信制御コマンドを選択し、前記発信制御部は前記選択した発信制御コマンドにより回線への発信を制御することを特徴とする。
【０００８】
上記課題を解決するために第二の発明は、第一の発明に記載の電話機へ発信制御に係る発信制御コマンドを送信する電話機であって、回線への発信を制御する発信制御部と、発信制御に係る発信制御コマンドを生成する発信制御コマンド生成手段と、前記発信制御コマンド生成手段が生成した発信制御コマンドを前記自端末の発信制御部へ送出するか他端末へ送出するかを選択する送出先選択手段と、他端末へ送信した表示画面を表示部へ連動させる表示データ送信制御手段と、前記発信制御コマンドを他端末へ送信する発信制御コマンド送信手段と、を有し、自端末に対して特定操作が為された場合に、前記送出先選択手段は前記発信制御コマンド生成手段が生成した発信制御コマンドを他端末へ送出することを選択し、前記発信制御コマンド送信手段は前記発信制御コマンドを他端末へ送信することを特徴とする。
【発明の効果】
【０００９】
本発明によれば、携帯電話機からの発信コマンドで電話機から発信する場合、電話機は、遠隔制御からの発信制御だけを切り変えて制御するので発信履歴を残さない。これにより電話機から容易に発信履歴の閲覧ができなくなり、利用者のプライバシーを保護できる。
【図面の簡単な説明】
【００１０】
【図１】本発明に係る実施形態の単独電話機と携帯電話機のシステム構成図および機能ブロック図である。
【発明を実施するための形態】
【００１１】
以下、図面を用いて本発明に係る電話制御装置の実施形態について説明する。
【００１２】
図１は、本発明に係る実施形態の単独電話機１００と携帯電話機１５０のシステム構成図および機能ブロック図である。
【００１３】
単独電話機１００は、携帯電話機１５０と接続用有線ケーブル３００を介して接続している。
【００１４】
また、単独電話機１００は、電話網２００と接続し、図示しない電話網２００上の相手電話機に発着信し、通話をおこなう。
【００１５】
単独電話機１００は、接続用有線ケーブル３００を介して携帯電話機１５０からの発信信号を受け取るとその発信信号に含まれる電話番号で発信する。また、単独電話機１００は、自装置を鳴動し、図示しないオフフック操作が検出すると呼出音を発生させ、図示しない電話網２００上の発信先の相手電話機が応答すると通話を確立して通話先相手との通話を開始する。
【００１６】
携帯電話機１５０は、携帯網４００と無線接続し、図示しない携帯網４００上の相手携帯電話機と発着信ならびに通話をおこなう。尚、本アイデアにおいて図示しない携帯網４００上の相手携帯電話機と発着信制御は行わないので説明を割愛する。
【００１７】
携帯電話機１５０は、接続用有線ケーブル３００を介して単独電話機１００と接続して遠隔発信操作ができる。携帯電話機１５０は、所定の発信操作を行うことで、遠隔発信モードになり発信信号を単独電話機１００に送信する。
【００１８】
尚、本実施では接続用有線ケーブル３００は有線説明とするが、本願はこれに限定しない。例えば無線ＬＡＮのアドホック通信や赤外線通信など無線通信であってもよい。
【００１９】
単独電話機１００は、端末制御部１０１、表示部１０２、操作部１０３、コマンド／データ受信部１０４、通信制御部１０５、データ制御部１０６、スイッチ切替部１０７、スイッチ１０８、呼制御部１０９、電話網２００とから構成される。
【００２０】
端末制御部１０１は、表示部１０２、操作部１０３、通信制御部１０５、データ制御部１０６、スイッチ切替部１０７と接続し、電話機能全般を制御する。
【００２１】
表示部１０２はＬＥＤ、ＬＣＤおよび鳴動スピーカ等の出力部であり、端末制御部１０１より送られた情報の表示（電話帳表示、着信表示等）を行う。
【００２２】
操作部１０３は、ダイヤルキー、ラインキー等の入力部である。また、操作部１０３は、従来の単独電話機として機能する通常モードに切替える所定の操作、または携帯電話機１５０からの発信信号を受信する遠隔発信モードに切替える所定の操作を端末制御部１０１と連動してスイッチ切替部１０７へモード切替指示をする。
【００２３】
コマンド／データ受信部１０４は接続用有線ケーブル３００を介して携帯電話機１５０と接続し、スイッチ１０８が遠隔発信モードの場合に、コマンド／データ送信部１５４よりコマンドデータの受信を行う。
【００２４】
通信制御部１０５は電話網２００と単独電話機１００の間で送受信するデータを制御する。また通信制御部１０５は図示しないが音声制御等の送話・受話機能（受話器としての動作）を制御する。
【００２５】
尚、本装置では操作部１０３からの操作に応じて通常モードまたは遠隔発信モードの切替えを行っているが、本願はこれに限定しない。例えば、電話網２００から通信制御部１０５および呼制御部１０９の給電を受付けられるようにして単独電話機１００の電源切断時に遠隔発信モードに切り替わるようにしてもよい。この場合、停電時であっても利用できるようになる。
【００２６】
データ制御部１０６は発着信履歴の保存および発着信履歴の読み出しを行う。データ制御部１０６は通常モードに設定されていた場合に、端末制御部１０１から操作部１０３を介して所定の相手電話機への発信の指示を受付けると、発信履歴を記憶し、呼制御部１０９を介して発信する。また、通信制御部１０５が電話網２００上の相手電話機から着信を受付けると、端末制御部１０１を介し着信履歴を記憶する。
【００２７】
スイッチ切替部１０７は端末制御部１０１からの指示に応じて通常モードおよび遠隔発信モードへの切替え指示をスイッチ１０８へ行う。
【００２８】
スイッチ１０８はスイッチ切替部１０７からの指示に応じて通常モードと遠隔発信モードを切替える。具体的には、端末制御部１０１から通常モードへの切替指示を受けると、スイッチ１０８をデータ制御部１０６と呼制御部１０９の接続に切替える。端末制御部１０１からスイッチ切替部１０７へ遠隔発信モードへの切替指示を受けると、スイッチ１０８をコマンド／データ受信部１０４と呼制御部１０９の接続に切替える。
【００２９】
尚、スイッチ１０８が遠隔発信モードで呼制御部１０９とコマンド／データ受信部１０４側が接続されている場合に、電話網２００からの着信を受け付けるとビジーまたは通信制御部１０５を介して端末制御部１０１が呼出接続先に通話中の指示を送る。
【００３０】
呼制御部１０９は単独電話機１００の発信制御を行う。スイッチ１０８が通常モードであった場合（データ制御部１０６と接続していた場合）、データ制御部１０６の指示に応じて通信制御部１０５を介し電話網２００に発信信号を送出する。またスイッチ１０８が遠隔発信モードであった場合（コマンド／データ受信部１０４と接続していた場合）、携帯電話機１５０から送信されるコマンド／データに応じて通信制御部１０５を介し電話網２００に発信信号を送出する。
【００３１】
携帯電話機１５０は端末制御部１５１、表示部１５２、操作部１５３、コマンド／データ送信部１５４、無線制御部１５５、データ制御部１５６、スイッチ切替部１５７、スイッチ１５８、呼制御部１５９とから構成される。
【００３２】
端末制御部１５１は、表示部１５２、操作部１５３、コマンド／データ送信部１５４、無線制御部１５５、データ制御部１５６、スイッチ切替部１５７と接続し、電話機能全般を制御する。          
表示部１５２はＬＥＤ、ＬＣＤおよび鳴動スピーカ等の出力部であり、端末制御部１５１より送られた情報の表示（電話帳表示、着信表示等）を行う。
【００３３】
操作部１５３は、ダイヤルキー、ラインキー等の入力部である。また、操作部１５３は、従来の携帯電話機として機能する通常モードに切替える所定の操作、または単独電話機１００への発信信号を送信する遠隔発信モードに切替える所定の操作を端末制御部１５１と連動してスイッチ切替部１５７へモード切替指示をする。
【００３４】
コマンド／データ送信部１５４は接続用有線ケーブル３００を介して単独電話機１００と接続し、スイッチ１５８が遠隔発信モードの場合に、コマンド／データ受信部１０４へコマンドデータの送信を行う。
【００３５】
無線制御部１５５は携帯網４００と携帯電話機１５０の間で送受信するデータを制御する。また無線制御部１５５は図示しないが音声制御等の送話・受話機能（受話器としての動作）を制御する。
【００３６】
データ制御部１５６は発着信履歴の保存および発着信履歴の読み出しを行う。データ制御部１５６は通常モード、遠隔発信モードに関係なく携帯電話１５０からの発信履歴を記憶し、通常モードでは呼制御部１５９を介して発信、遠隔発信モードではコマンド／データ送信部１５４を介して単独電話機１００にデータ送信する。また、無線制御部１５５が携帯網４００上の相手電話機から着信を受付けると、端末制御部１５１を介し着信履歴を記憶する。
【００３７】
スイッチ切替部１５７は端末制御部１５１からの指示に応じて通常モードおよび遠隔発信モードへの切替え指示をスイッチ１５８へ行う。
【００３８】
スイッチ１５８はスイッチ切替部１５７の指示に応じて通常モードと遠隔発信モードを切替える。具体的には、端末制御部１５１から通常モードへの切替指示を受けると、スイッチ１５８をデータ制御部１５６と呼制御部１５９の接続に切替える。端末制御部１５１から遠隔発信モードへの切替指示を受けると、スイッチ１５８をデータ制御部１５６とコマンド／データ送信部１５４との接続に切替える。
【００３９】
尚、スイッチ１５８が遠隔発信モードでデータ制御部１５６とコマンド／データ送信部１５４側が接続されている場合に、携帯網４００からの着信を受け付けるとビジーまたは無線制御部１５５を介して端末制御部１５１が呼出接続先に通話中の指示を送る。
【００４０】
呼制御部１５９は携帯電話機１５０の発信制御を行う。スイッチ１５８が通常モードにおいてデータ制御部１５６の指示に応じて無線制御部１５５を介し携帯網４００に発信信号を送出する。
【００４１】
以上、本発明の単独電話１００と携帯電話１５０の実施の形態について説明した。本発明によれば、単独電話機１００は、操作部１０３から利用者の遠隔発信モードの操作を受付けると、スイッチ切替部１０７を介してスイッチ１０８が呼制御部１０９とコマンド／データ受信部１０４との接続を切替えるので遠隔操作による発信履歴を残さない。これにより、利用者のプライバシーを保護できるという効果がある。
【００４２】
また、携帯電話機１５０は操作部１５３より通話相手の発信ダイヤルの入力とスイッチ切替部１５７を遠隔発信モードとするコマンド入力のみで、接続用有線ケーブル３００を介して単独電話機１００から通話相手への発信ができる。これにより、従来の発信操作と同じ操作方法で遠隔発信ができるという効果がある。
【符号の説明】
【００４３】
１００：単独電話機
１０１：端末制御部
１０２：表示部
１０３：操作部
１０４：コマンド／データ受信部
１０５：通信制御部
１０６：データ制御部
１０７：スイッチ切替部
１０８：スイッチ
１０９：呼制御部
１５０：携帯電話機
１５１：端末制御部
１５２：表示部
１５３：操作部
１５４：コマンド／データ送信部
１５５：無線制御部
１５６：データ制御部
１５７：スイッチ切替部
１５８：スイッチ
１５９：呼制御部
２００：電話網
３００：接続用有線ケーブル
４００：携帯網
【図１】
2012114818.tif 000003